(57)【要約】【構成】筐体ＨＳ１の上面には電極ＥＬ１およびＥＬ２が設けられ、筐体ＨＳ１の下面には電極ＥＬ３およびＥＬ４が設けられる。送電モジュール１２に設けられた制御回路は、電極ＥＬ１をアクティブ電極として設定しかつ電極ＥＬ２，ＥＬ３およびＥＬ４をパッシブ電極として設定する処理を第１伝送モードに対応して実行し、電極ＥＬ４をアクティブ電極として設定しかつ電極ＥＬ１，ＥＬ２およびＥＬ３をパッシブ電極として設定する処理を第２伝送モードに対応して実行する。【効果】仕様の異なる複数の伝送装置との間で簡便に電力を伝送することができる。【選択図】図２
2014017958.tif 000002
【特許請求の範囲】
【請求項１】
筐体の一方主面に設けられたＫ個（Ｋ：１以上の整数）の第１電極、
前記筐体の他方主面に設けられたＬ個（Ｌ：１以上の整数）の第２電極、
前記Ｋ個の第１電極の少なくとも一部を容量結合型非接触電力伝送用のアクティブ電極として設定しかつ前記Ｌ個の第２電極の少なくとも一部を容量結合型非接触電力伝送用のパッシブ電極として設定する処理を第１伝送モードに対応して実行する第１設定手段、および
前記Ｌ個の第２電極の少なくとも一部を前記アクティブ電極として設定しかつ前記Ｋ個の第１電極の少なくとも一部を前記パッシブ電極として設定する処理を第２伝送モードに対応して実行する第２設定手段を備える、電力伝送装置。
【請求項２】
前記Ｋは２以上の整数に相当し、
前記第１設定手段は前記Ｋ個の第１電極のうち前記アクティブ電極として設定された第１電極と異なる第１電極を前記パッシブ電極として追加的に設定する、請求項１記載の電力伝送装置。
【請求項３】
前記Ｌは２以上の整数に相当し、
前記第２設定手段は前記Ｌ個の第２電極のうち前記アクティブ電極として設定された第２電極と異なる第２電極を前記パッシブ電極として追加的に設定する、請求項１または２記載の電力伝送装置。
【請求項４】
前記第１設定手段によって設定されるアクティブ電極のサイズは前記第２設定手段によって設定されるアクティブ電極のサイズと異なる、請求項１ないし３のいずれかに記載の電力伝送装置。
【請求項５】
前記アクティブ電極および前記パッシブ電極に電圧を印加する印加手段をさらに備える、請求項１ないし４のいずれかに記載の電力伝送装置。
【請求項６】
前記印加手段によって印加される電圧を前記第１設定手段の処理に関連して第１電圧に調整する第１調整手段、および
前記印加手段によって印加される電圧を前記第２設定手段の処理に関連して第２電圧に調整する第２調整手段をさらに備える、請求項５記載の電力伝送装置。
【請求項７】
前記アクティブ電極および前記パッシブ電極に印加された電圧に基づく電力を負荷に供給する供給手段をさらに備える、請求項１ないし４のいずれかに記載の電力伝送装置。
【請求項８】
送電装置および受電装置を備える電力伝送システムであって、
前記送電装置および前記受電装置の少なくとも一方は、
筐体の一方主面に設けられたＫ個（Ｋ：１以上の整数）の第１電極、
前記筐体の他方主面に設けられたＬ個（Ｌ：１以上の整数）の第２電極、
前記Ｋ個の第１電極の少なくとも一部を容量結合型非接触電力伝送用のアクティブ電極として設定しかつ前記Ｌ個の第２電極の少なくとも一部を容量結合型非接触電力伝送用のパッシブ電極として設定する処理を第１伝送モードに対応して実行する第１設定手段、および
前記Ｌ個の第２電極の少なくとも一部を前記アクティブ電極として設定しかつ前記Ｋ個の第１電極の少なくとも一部を前記パッシブ電極として設定する処理を第２伝送モードに対応して実行する第２設定手段を備える、電力伝送システム。
【発明の詳細な説明】
【技術分野】
【０００１】
この発明は、電力伝送装置および電力伝送システムに関し、特に、容量結合型非接触電力伝送方式を採用する、電力伝送装置および電力伝送システムに関する。
【背景技術】
【０００２】
この種の電力伝送装置の一例が、特許文献１に開示されている。この背景技術によれば、電力受電装置に設けられた容量結合電極は、高電圧側導体とその周囲にまで広がる低電圧側導体とで構成される。高電圧導体は筐体の表面に配置され、低電圧側導体は回路基板に内部に設けられる。複数のモジュール部品は、低電圧側導体に対して高電圧側導体とは反対側で回路基板に実行される。
【先行技術文献】
【特許文献】
【０００３】
【特許文献１】国際公開第２０１１／０９３４３８号
【発明の概要】
【発明が解決しようとする課題】
【０００４】
しかし、背景技術では、容量結合用の２つの導体にそれぞれ印加される２つの電圧の大きさが固定的であるため、適正電力の異なる複数の伝送装置との間での電力の伝送が難しいという問題がある。
【０００５】
それゆえに、この発明の主たる目的は、適正電力の異なる複数の伝送装置との間で簡便に電力を伝送できる、電力伝送装置を提供することである。
【０００６】
この発明の他の目的は、適正電力の異なる複数の伝送装置との間で簡便に電力を伝送できる、電力伝送システムを提供することである。
【課題を解決するための手段】
【０００７】
この発明に従う電力伝送装置(10：実施例で相当する参照符号。以下同じ)は、筐体(HS1)の一方主面に設けられたＫ個（Ｋ：１以上の整数）の第１電極(EL1, EL2, EL11, EL12)、筐体の他方主面に設けられたＬ個（Ｌ：１以上の整数）の第２電極(EL3, EL4, EL13, EL14)、Ｋ個の第１電極の少なくとも一部を容量結合型非接触電力伝送用のアクティブ電極として設定しかつＬ個の第２電極の少なくとも一部を容量結合型非接触電力伝送用のパッシブ電極として設定する処理を第１伝送モードに対応して実行する第１設定手段(S3~S5, S23~S25)、およびＬ個の第２電極の少なくとも一部をアクティブ電極として設定しかつＫ個の第１電極の少なくとも一部をパッシブ電極として設定する処理を第２伝送モードに対応して実行する第２設定手段(S9~S11, S27~S29)を備える。
【０００８】
好ましくは、Ｋは２以上の整数に相当し、第１設定手段はＫ個の第１電極のうちアクティブ電極として設定された第１電極と異なる第１電極をパッシブ電極として追加的に設定する。
【０００９】
好ましくは、Ｌは２以上の整数に相当し、第２設定手段はＬ個の第２電極のうちアクティブ電極として設定された第２電極と異なる第２電極をパッシブ電極として追加的に設定する。
【００１０】
好ましくは、第１設定手段によって設定されるアクティブ電極のサイズは第２設定手段によって設定されるアクティブ電極のサイズと異なる。
【００１１】
好ましくは、アクティブ電極およびパッシブ電極に電圧を印加する印加手段(16, 20)がさらに備えられる。
【００１２】
さらに好ましくは、印加手段によって印加される電圧を第１設定手段の処理に関連して第１電圧に調整する第１調整手段(S7)、および印加手段によって印加される電圧を第２設定手段の処理に関連して第２電圧に調整する第２調整手段(S13)がさらに備えられる。
【００１３】
好ましくは、アクティブ電極およびパッシブ電極に印加された電圧に基づく電力を負荷(40)に供給する供給手段(36)がさらに備えられる。
【００１４】
この発明に従う電力伝送システムは、送電装置(10)および受電装置(30)を備える電力伝送システムであって、送電装置および受電装置の少なくとも一方は、筐体(HS1)の一方主面に設けられたＫ個（Ｋ：１以上の整数）の第１電極(EL1, EL2, EL11, EL12)、筐体の他方主面に設けられたＬ個（Ｌ：１以上の整数）の第２電極(EL3, EL4, EL13, EL14)、Ｋ個の第１電極の少なくとも一部を容量結合型非接触電力伝送用のアクティブ電極として設定しかつＬ個の第２電極の少なくとも一部を容量結合型非接触電力伝送用のパッシブ電極として設定する処理を第１伝送モードに対応して実行する第１設定手段(S3~S5, S23~S25)、およびＬ個の第２電極の少なくとも一部をアクティブ電極として設定しかつＫ個の第１電極の少なくとも一部をパッシブ電極として設定する処理を第２伝送モードに対応して実行する第２設定手段(S9~S11, S27~S29)を備える。
【発明の効果】
【００１５】
第１伝送モードでは、筐体の一方主面に設けられたＫ個の第１電極の少なくとも一部がアクティブ電極として設定され、筐体の他方主面に設けられたＬ個の第２電極の少なくとも一部がパッシブ電極として設定される。これに対して、第２伝送モードでは、筐体の他方主面に設けられたＬ個の第２電極の少なくとも一部がアクティブ電極として設定され、筐体の一方主面に設けられたＫ個の第１電極の少なくとも一部がパッシブ電極として設定される。
【００１６】
したがって、第１伝送モードでは、相手方の伝送装置を筐体の一方主面に近づけることで相手方の伝送装置との間での電力伝送が実行される。また、第２伝送モードでは、相手方の伝送装置を筐体の他方主面に近づけることで相手方の伝送装置との間での電力伝送が実行される。これによって、仕様の異なる複数の伝送装置との間で簡便に電力を伝送することができる。
【００１７】
この発明の上述の目的，その他の目的，特徴および利点は、図面を参照して行う以下の実施例の詳細な説明から一層明らかとなろう。
【図面の簡単な説明】
【００１８】
【図１】この発明の一実施例の基本的構成を示す図解図である。
【図２】この実施例に適用される送電装置の要部を示す断面図である。
【図３】（Ａ）は図２に示す送電装置を上方から眺めた状態の一例を示す図解図であり、（Ｂ）は図２に示す送電装置を下方から眺めた状態の一例を示す図解図である。
【図４】図２に示す送電装置の構成の一例を示す等価回路図である。
【図５】図４に示す制御回路の動作の一部を示すフロー図である。
【図６】この実施例に適用される受電装置の要部を示す断面図である。
【図７】（Ａ）は図６に示す受電装置を上方から眺めた状態の一例を示す図解図であり、（Ｂ）は図６に示す受電装置を下方から眺めた状態の一例を示す図解図である。
【図８】図６に示す受電装置の構成の一例を示す等価回路図である。
【図９】図８に示す制御回路の動作の一部を示すフロー図である。
【図１０】（Ａ）は図２に示す送電装置および図６に示す受電装置の使用状態の一例を示す図解図であり、（Ｂ）は図２に示す送電装置および図６に示す受電装置の使用状態の他の一例を示す図解図である。
【図１１】他の実施例に適用される送電装置を下面から眺めた状態の一例を示す図解図である。
【図１２】他の実施例に適用される受電装置を下面から眺めた状態の一例を示す図解図である。
【図１３】（Ａ）はこの実施例の送電装置を上方から眺めた状態の一例を示す図解図であり、（Ｂ）はこの実施例の送電装置を下方から眺めた状態の一例を示す図解図であり、（Ｃ）は他の実施例の受電装置を上方から眺めた状態の一例を示す図解図であり、（Ｄ）は他の実施例の受電装置を下方から眺めた状態の一例を示す図解図である。
【図１４】（Ａ）はこの実施例の送電装置を上方から眺めた状態の一例を示す図解図であり、（Ｂ）はこの実施例の送電装置を下方から眺めた状態の一例を示す図解図であり、（Ｃ）はその他の実施例の受電装置を上方から眺めた状態の一例を示す図解図であり、（Ｄ）はその他の実施例の受電装置を下方から眺めた状態の一例を示す図解図である。
【図１５】（Ａ）は他の実施例の送電装置を上方から眺めた状態の一例を示す図解図であり、（Ｂ）は他の実施例の送電装置を下方から眺めた状態の一例を示す図解図であり、（Ｃ）はこの実施例の受電装置を上方から眺めた状態の一例を示す図解図であり、（Ｄ）はこの実施例の受電装置を下方から眺めた状態の一例を示す図解図である。
【図１６】（Ａ）はその他の実施例の送電装置を上方から眺めた状態の一例を示す図解図であり、（Ｂ）はその他の実施例の送電装置を下方から眺めた状態の一例を示す図解図であり、（Ｃ）はこの実施例の受電装置を上方から眺めた状態の一例を示す図解図であり、（Ｄ）はこの実施例の受電装置を下方から眺めた状態の一例を示す図解図である。
【発明を実施するための形態】
【００１９】
以下、この発明の実施の形態を図面を参照しながら説明する。
［基本的構成］
【００２０】
図１を参照して、この実施例の電力伝送装置は、基本的に次のように構成される。Ｋ個（Ｋ：１以上の整数）の第１電極１，１，…は筐体５の一方主面に設けられ、Ｌ個（Ｌ：１以上の整数）の第２電極２，２，…は筐体５の他方主面に設けられる。第１設定手段３は、Ｋ個の第１電極１，１，…の少なくとも一部をアクティブ電極として設定しかつＬ個の第２電極２，２，…の少なくとも一部をパッシブ電極として設定する処理を第１伝送モードに対応して実行する。第２設定手段４は、Ｌ個の第２電極２，２，…の少なくとも一部をアクティブ電極として設定しかつＫ個の第１電極１，１，…の少なくとも一部をパッシブ電極として設定する処理を第２伝送モードに対応して実行する。
【００２１】
第１伝送モードでは、筐体５の一方主面に設けられたＫ個の第１電極１，１，…の少なくとも一部がアクティブ電極として設定され、筐体５の他方主面に設けられたＬ個の第２電極２，２，…の少なくとも一部がパッシブ電極として設定される。これに対して、第２伝送モードでは、筐体５の他方主面に設けられたＬ個の第２電極２，２，…の少なくとも一部がアクティブ電極として設定され、筐体５の一方主面に設けられたＫ個の第１電極１，１，…の少なくとも一部がパッシブ電極として設定される。
【００２２】
したがって、第１伝送モードでは、相手方の伝送装置を筐体５の一方主面に近づけることで相手方の伝送装置との間での電力伝送が実行される。また、第２伝送モードでは、相手方の伝送装置を筐体５の他方主面に近づけることで相手方の伝送装置との間での電力伝送が実行される。これによって、仕様の異なる複数の伝送装置との間で簡便に電力を伝送することができる。
［実施例］
【００２３】
この実施例の電力伝送システムは、図２，図３（Ａ），図３（Ｂ），図４に示す送電装置１０と、図６，図７（Ａ），図７（Ｂ），図８に示す受電装置３０とによって形成される。
【００２４】
図２を参照して、送電装置１０は、筐体ＨＳ１を含む。電極ＥＬ１およびＥＬ２は筐体ＨＳ１の上面の近傍に設けられ、電極ＥＬ３およびＥＬ４は筐体ＨＳ１の下面の近傍に設けられる。
【００２５】
図３（Ａ）を参照して、電極ＥＬ１は、主面が矩形環をなすように板状に形成される。つまり、主面の中央には、矩形の開口部ＯＰ１が形成される。開口部ＯＰ１をなす矩形の各辺は、電極ＥＬ１の輪郭をなす矩形の各辺に対して平行または直角に延びる。一方、電極ＥＬ２は、主面が矩形をなすように板状に形成される。また、電極ＥＬ２の主面の面積は、開口部ＯＰ１をなす矩形の面積よりも小さい。
【００２６】
電極ＥＬ１およびＥＬ２のいずれも、その主面が筐体ＨＳ１の上面に対して平行に広がる姿勢で、筐体ＨＳ１に収められる。電極ＥＬ２は、その主面をなす矩形の各辺が開口部ＯＰ１をなす矩形の各辺に対して平行または直角に延びる姿勢で、開口部ＯＰ１に配置される。
【００２７】
図３（Ｂ）を参照して、電極ＥＬ３は、主面が矩形環をなすように板状に形成される。つまり、主面の中央には、矩形の開口部ＯＰ２が形成される。開口部ＯＰ２をなす矩形の各辺は、電極ＥＬ３の輪郭をなす矩形の各辺に対して平行または直角に延びる。一方、電極ＥＬ４は、主面が矩形をなすように板状に形成される。また、電極ＥＬ４の主面の面積は、開口部ＯＰ２をなす矩形の面積よりも小さい。
【００２８】
電極ＥＬ３およびＥＬ４のいずれも、その主面が筐体ＨＳ１の下面に対して平行に広がる姿勢で、筐体ＨＳ１に収められる。電極ＥＬ４は、その主面をなす矩形の各辺が開口部ＯＰ２をなす矩形の各辺に対して平行または直角に延びる姿勢で、開口部ＯＰ２に配置される。
【００２９】
電極ＥＬ１に設けられた開口部ＯＰ１の面積は、電極ＥＬ３に設けられた開口部ＯＰ２の面積よりも小さい。同様に、電極ＥＬ２の主面の面積も、電極ＥＬ４の主面の面積よりも小さい。また、電極ＥＬ４の主面の面積は、開口部ＯＰ１の面積よりも大きく、かつ電極ＥＬ１の輪郭によって囲まれる領域の面積よりも小さい。なお、電極ＥＬ１〜ＥＬ４は筐体ＨＳ１に埋め込むようにしてもよい。
【００３０】
図２に戻って、送電モジュール１２は、交流電圧を出力するプラス側出力端子Ｔｏｕｔ（＋）およびマイナス側出力端子Ｔｏｕｔ（−）を有する。プラス側出力端子Ｔｏｕｔ（＋）から出力された電圧つまりプラス側電圧はＳＷ回路１４に供給され、マイナス側出力端子Ｔｏｕｔ（−）から出力された電圧つまりマイナス側電圧はＳＷ回路１４および電極ＥＬ１，ＥＬ３に供給される。
【００３１】
ＳＷ回路１４は、後述する第１伝送モードが選択されたとき、プラス側電圧を電極ＥＬ２に供給し、マイナス側電圧を電極ＥＬ４に供給する。ＳＷ回路１４はまた、後述する第２伝送モードが選択されたとき、プラス側電圧を電極ＥＬ４に供給し、マイナス側電圧を電極ＥＬ２に供給する。
【００３２】
したがって、第１伝送モードでは、電極ＥＬ２が容量結合型非接触電力伝送用のアクティブ電極として機能し、電極ＥＬ１，ＥＬ３およびＥＬ４が容量結合型非接触電力伝送用のパッシブ電極として機能する。これに対して、第２伝送モードでは、電極ＥＬ４が容量結合型非接触電力伝送用のアクティブ電極として機能し、電極ＥＬ１，ＥＬ２およびＥＬ３が容量結合型非接触電力伝送用のパッシブ電極として機能する。
【００３３】
送電モジュール１２およびＳＷ回路１４は、図４に示すように構成される。送電モジュール１２において、交流電源１６のプラス出力端およびマイナス出力端はトランス２０を形成する一次巻線Ｎｐ１の一方端および他方端にそれぞれ接続される。また、トランス２０を形成する二次巻線Ｎｓ１の一方端および他方端は、プラス側出力端子Ｔｏｕｔ（＋）およびマイナス側出力端子Ｔｏｕｔ（−）にそれぞれ接続される。したがって、交流電源１６から出力された交流電圧は、トランス２０を経た後、プラス側出力端子Ｔｏｕｔ（＋）およびマイナス側出力端子Ｔｏｕｔ（−）から出力される。
【００３４】
ＳＷ回路１４は、端子Ｔ１およびＴ２の間で切り換えられるスイッチＳＷ１と、端子Ｔ３およびＴ４の間で切り換えられるスイッチＳＷ２とを有する。端子Ｔ１およびＴ３は電極ＥＬ２と接続され、端子Ｔ２およびＴ４は電極ＥＬ４と接続される。また、マイナス側出力端子Ｔｏｕｔ（−）は、電極ＥＬ１およびＥＬ３と接続される。
【００３５】
制御回路１８は、第１伝送モードが選択されたとき、スイッチＳＷ１を端子Ｔ１と接続し、スイッチＳＷ２を端子Ｔ４と接続する。制御回路１８はまた、第２伝送モードが選択されたとき、スイッチＳＷ１を端子Ｔ２と接続し、スイッチＳＷ２を端子Ｔ３と接続する。制御回路１８はさらに、第１伝送モードが選択されたとき交流電源１６の出力電圧を“Ｖ１”に調整し、第２伝送モードが選択されたとき交流電源１６の出力電圧を“Ｖ１”よりも大きい“Ｖ２”に調整する。
【００３６】
制御回路１８の処理は、具体的には図５に示すフロー図に従って実行される。まずステップＳ１で、現時点の伝送モードが第１伝送モードおよび第２伝送モードのいずれであるかを判別する。現時点の伝送モードが第１伝送モードであればステップＳ３に進み、現時点の伝送モードが第２伝送モードであればステップＳ９に進む。
【００３７】
ステップＳ３ではスイッチＳＷ１を端子Ｔ１に接続し、ステップＳ５ではスイッチＳＷ２を端子Ｔ４に接続する。ステップＳ７では、交流電源１６の出力電圧を“Ｖ１”に調整する。ステップＳ９ではスイッチＳＷ１を端子Ｔ２に接続し、ステップＳ１１ではスイッチＳＷ２を端子Ｔ３に接続する。ステップＳ１３では、交流電源１６の出力電圧を“Ｖ２”に調整する。ステップＳ７またはＳ１３の処理が完了すると、モード変更が必要か否かをステップＳ１５で繰り返し判別する。判別結果がＮＯからＹＥＳに更新されると、ステップＳ１に戻る。
【００３８】
図６を参照して、受電装置３０は、筐体ＨＳ１１を含む。電極ＥＬ１１およびＥＬ１２は筐体ＨＳ１１の上面の近傍に設けられ、電極ＥＬ１３およびＥＬ１４は筐体ＨＳ１１の下面の近傍に設けられる。
【００３９】
図７（Ａ）を参照して、電極ＥＬ１１は、主面が矩形環をなすように板状に形成される。つまり、主面の中央には、矩形の開口部ＯＰ１１が形成される。開口部ＯＰ１１をなす矩形の各辺は、電極ＥＬ１１の輪郭をなす矩形の各辺に対して平行または直角に延びる。一方、電極ＥＬ１２は、主面が矩形をなすように板状に形成される。また、電極ＥＬ１２の主面の面積は、開口部ＯＰ１をなす矩形の面積よりも小さい。
【００４０】
電極ＥＬ１１およびＥＬ１２のいずれも、その主面が筐体ＨＳ１１の上面に対して平行に広がる姿勢で、筐体ＨＳ１１に収められる。電極ＥＬ１２は、電極ＥＬ１２の主面をなす矩形の各辺が開口部ＯＰ１１をなす矩形の各辺に対して平行または直角に延びる姿勢で、開口部ＯＰ１１に配置される。
【００４１】
図７（Ｂ）を参照して、電極ＥＬ１３は、主面が矩形環をなすように板状に形成される。つまり、主面の中央には、矩形の開口部ＯＰ１２が形成される。開口部ＯＰ１２をなす矩形の各辺は、電極ＥＬ１３の輪郭をなす矩形の各辺に対して平行または直角に延びる。一方、電極ＥＬ１４は、主面が矩形をなすように板状に形成される。また、電極ＥＬ１４の主面の面積は、開口部ＯＰ１２をなす矩形の面積よりも小さい。
【００４２】
電極ＥＬ１３およびＥＬ１４のいずれも、その主面が筐体ＨＳ１１の下面に対して平行に広がる姿勢で、筐体ＨＳ１１に収められる。電極ＥＬ１４は、電極ＥＬ１４の主面をなす矩形の各辺が開口部ＯＰ１２をなす矩形の各辺に対して平行または直角に延びる姿勢で、開口部ＯＰ１２に配置される。
【００４３】
開口部ＯＰ１１の横方向における長さは開口部ＯＰ１２の横方向における長さとほぼ一致し、開口部ＯＰ１１の縦方向における長さは開口部ＯＰ１２の縦方向における長さよりも小さい。また、電極ＥＬ１２の主面の面積は、電極ＥＬ１４の主面の面積よりも小さい。さらに、電極ＥＬ１４の主面の面積は、開口部ＯＰ１１の面積よりも小さい。なお、上述と同様、電極ＥＬ１１〜ＥＬ１４は筐体ＨＳ１１に埋め込むようにしてもよい。
【００４４】
図６に戻って、電極ＥＬ１２およびＥＬ１４は、ＳＷ回路３２を介して受電モジュール３４のプラス側入力端子Ｔｉｎ（＋）およびマイナス側入力端子Ｔｉｎ（−）に接続される。マイナス側入力端子Ｔｉｎ（−）にはまた、電極ＥＬ１１およびＥＬ１３が直接的に接続される。
【００４５】
ＳＷ回路３２は、第１伝送モードが選択されたとき、電極ＥＬ１２をプラス側入力端子Ｔｉｎ（＋）に接続し、電極ＥＬ１４をマイナス側入力端子Ｔｉｎ（−）に接続する。ＳＷ回路３２はまた、第２伝送モードが選択されたとき、電極ＥＬ１２をマイナス側入力端子Ｔｉｎ（−）に接続し、電極ＥＬ１４をプラス側入力端子Ｔｉｎ（＋）に接続する。
【００４６】
したがって、第１伝送モードでは、電極ＥＬ１２が容量結合型非接触電力伝送用のアクティブ電極として機能し、電極ＥＬ１１，ＥＬ１３およびＥＬ１４が容量結合型非接触電力伝送用のパッシブ電極として機能する。これに対して、第２伝送モードでは、電極ＥＬ１４が容量結合型非接触電力伝送用のアクティブ電極として機能し、電極ＥＬ１１，ＥＬ１２およびＥＬ１３が容量結合型非接触電力伝送用のパッシブ電極として機能する。
【００４７】
ＳＷ回路３２および受電モジュール３４は、図８に示すように構成される。ＳＷ回路３２は、端子Ｔ１１およびＴ１２の間で切り換えられるスイッチＳＷ１１と、端子Ｔ１３およびＴ１４の間で切り換えられるスイッチＳＷ１２とを有する。端子Ｔ１１およびＴ１３は電極ＥＬ１２と接続され、端子Ｔ１２およびＴ１４は電極ＥＬ１４と接続される。また、マイナス側入力端子Ｔｉｎ（−）は電極ＥＬ１１およびＥＬ１３と接続される。
【００４８】
受電モジュール１２において、トランス３６を形成する一次巻線Ｎｐ２の一方端および他方端は、プラス側入力端子Ｔｏｕｔ（＋）およびマイナス側入力端子Ｔｏｕｔ（−）にそれぞれ接続される。また、トランス３６を形成する二次巻線Ｎｓ２の一方端および他方端は、負荷４０のプラス側端子およびマイナス側端子にそれぞれ接続される。
【００４９】
制御回路１８は、第１伝送モードが選択されたとき、スイッチＳＷ１１を端子Ｔ１１と接続し、スイッチＳＷ１２を端子Ｔ１４と接続する。制御回路１８はまた、第２伝送モードが選択されたとき、スイッチＳＷ１１を端子Ｔ１２と接続し、スイッチＳＷ１２を端子Ｔ１３と接続する。
【００５０】
制御回路３８の処理は、具体的には図９に示すフロー図に従って実行される。まずステップＳ２１で、現時点の伝送モードが第１伝送モードおよび第２伝送モードのいずれであるかを判別する。現時点の伝送モードが第１伝送モードであればステップＳ２３に進み、現時点の伝送モードが第２伝送モードであればステップＳ２７に進む。
【００５１】
ステップＳ２３ではスイッチＳＷ１１を端子Ｔ１１に接続し、ステップＳ２５ではスイッチＳＷ１２を端子Ｔ１４に接続する。ステップＳ２７ではスイッチＳＷ１１を端子Ｔ１２に接続し、ステップＳ２９ではスイッチＳＷ１２を端子Ｔ１３に接続する。ステップＳ２５またはＳ２９の処理が完了すると、モード変更が必要か否かをステップＳ３１で繰り返し判別する。判別結果がＮＯからＹＥＳに更新されると、ステップＳ２１に戻る。
【００５２】
図１０（Ａ）を参照して、第１伝送モードでは、送電装置１０は、その上面が上を向く姿勢でたとえばテーブルに載置される。一方、受電装置３０は、その上面が下を向く姿勢で、送電装置１０の上面に載置される。これによって、受電装置３０に設けられたアクティブ電極としての電極ＥＬ１２が、送電装置１０に設けられたアクティブ電極としての電極ＥＬ２に対向し、さらに受電装置３０に設けられたパッシブ電極としての電極ＥＬ１１，ＥＬ１３およびＥＬ１４が、送電装置１０に設けられたパッシブ電極としての電極ＥＬ１，ＥＬ３およびＥＬ４に対向する。送電装置１０で生成された交流電力は、アクティブ電極およびパッシブ電極を介して受電装置３０に伝送される。
【００５３】
図１０（Ｂ）を参照して、第２伝送モードでは、送電装置１０は、その下面が上を向く姿勢でたとえばテーブルに載置される。一方、受電装置３０は、その下面が下を向く姿勢で、送電装置１０の下面に載置される。これによって、受電装置３０に設けられたアクティブ電極としての電極ＥＬ１４が、送電装置１０に設けられたアクティブ電極としての電極ＥＬ４に対向し、さらに受電装置３０に設けられたパッシブ電極としての電極ＥＬ１１〜ＥＬ１３が、送電装置１０に設けられたパッシブ電極としての電極ＥＬ１〜ＥＬ３に対向する。送電装置１０で生成された交流電力は、アクティブ電極およびパッシブ電極を介して受電装置３０に伝送される。
【００５４】
以上の説明から分かるように、筐体ＨＳ１の上面には電極ＥＬ１およびＥＬ２（＝２つの第１電極）が設けられ、筐体ＨＳ１の下面には電極ＥＬ３およびＥＬ４（＝２つの第２電極）が設けられる。制御回路１８は、電極ＥＬ２（＝２つの第１電極の一方）をアクティブ電極として設定しかつ電極ＥＬ１，ＥＬ３およびＥＬ４（＝２つの第２電極の両方）をパッシブ電極として設定する処理を第１伝送モードに対応して実行する(S3~S5)。制御回路１８はまた、電極ＥＬ４（＝２つの第２電極の一方）をアクティブ電極として設定しかつ電極ＥＬ１，ＥＬ２（＝２つの第１電極の両方）および電極ＥＬ３をパッシブ電極として設定する処理を第２伝送モードに対応して実行する(S9~S11)。
【００５５】
同様に、筐体ＨＳ１１の上面には電極ＥＬ１１およびＥＬ１２（＝２つの第１電極）が設けられ、筐体ＨＳ１１の下面には電極ＥＬ１３およびＥＬ１４（＝２つの第２電極）が設けられる。制御回路３８は、電極ＥＬ１２（＝２つの第１電極の一方）をアクティブ電極として設定しかつ電極ＥＬ１１，ＥＬ１３およびＥＬ１４（＝２つの第２電極の両方）をパッシブ電極として設定する処理を第１伝送モードに対応して実行する(S23~S25)。制御回路１８はまた、電極ＥＬ１４（＝２つの第１電極の一方）をアクティブ電極として設定しかつ電極ＥＬ１１，ＥＬ１２（＝２つの第２電極の一方）および電極ＥＬ１３をパッシブ電極として設定する処理を第２伝送モードに対応して実行する(S27~S29)。
【００５６】
したがって、第１伝送モードでは、受電装置３０の上面を送電装置１０の上面に対向させることで、送電装置１０から受電装置３０に電力が伝送される。一方、第２伝送モードでは、受電装置３０の下面を送電装置１０の下面に対向させることで、送電装置１０から受電装置３０に電力が伝送される。これによって、仕様の異なる複数の電力伝送装置の間で簡便に電力を伝送することができる。
【００５７】
なお、この実施例の送電装置１０では、単一の電極ＥＬ４を主面が矩形環をなす電極ＥＬ３の開口部ＯＰ２に設けるようにしている（図３（Ｂ）参照）。しかし、図１１に示すように、電極ＥＬ４を長方形状の電極ＥＬ＿１〜ＥＬ＿３に分割し、これらの電極ＥＬ＿１〜ＥＬ＿３を電極ＥＬ３の開口部ＯＰ２に設けるようにしてもよい。この場合、好ましくは、電極ＥＬ＿１〜ＥＬ＿３のいずれか１つだけがアクティブ電極に設定され、かついずれをアクティブ電極として設定するかが受電装置３０と送電装置１０との位置関係に応じて動的に変更される。
【００５８】
また、この実施例の受電装置３０では、主面が矩形環をなす電極ＥＬ３を筐体ＨＳ１１の下面に設けるようにしている（図７（Ｂ）参照）。しかし、図１２に示すように、主面が長方形をなす電極ＥＬ１３＿１およびＥＬ１３＿２を電極ＥＬ３の代わりに筐体ＨＳ１１の下面に設けるようにしてもよい。
【００５９】
さらに、この実施例の電力伝送システムでは、送電装置１０および受電装置３０のいずれもが、第１伝送モードおよび第２伝送モードの両方に対応する。しかし、送電装置１０は第１伝送モードおよび第２伝送モードの両方に対応するものの、受電装置３０は第１伝送モードおよび第２伝送モードの一方にのみ対応するように電力伝送システムを構成してもよい。さらには、受電装置３０は第１伝送モードおよび第２伝送モードの両方に対応する一方、送電装置１０は第１伝送モードおよび第２伝送モードの一方にのみ対応するように電力伝送システムを構成してもよい。
【００６０】
図１３（Ａ）〜図１３（Ｄ）によれば、送電装置１０は第１伝送モードおよび第２伝送モードの両方に対応するものの、受電装置３０は第１伝送モードにのみ対応する。また、図１４（Ａ）〜図１４（Ｄ）によれば、送電装置１０は第１伝送モードおよび第２伝送モードの両方に対応するものの、受電装置３０は第２伝送モードにのみ対応する。
【００６１】
図１５（Ａ）〜図１５（Ｄ）によれば、送電装置１０は第１伝送モードにのみ対応し、受電装置３０は第１伝送モードおよび第２伝送モードの両方に対応する。図１６（Ａ）〜図１６（Ｄ）によれば、送電装置１０は第２伝送モードにのみ対応し、受電装置３０は第１伝送モードおよび第２伝送モードの両方に対応する。
【符号の説明】
【００６２】
１０  …送電装置
１２  …送電モジュール
１４，３４  …ＳＷ回路
１６  …交流電源
１８，３８  …制御回路
２０，３６  …トランス
４０  …負荷
【図１】
2014017958.tif 000003
【図２】
2014017958.tif 000004
【図３】
2014017958.tif 000005
【図４】
2014017958.tif 000006
【図５】
2014017958.tif 000007
【図６】
2014017958.tif 000008
【図７】
2014017958.tif 000009
【図８】
2014017958.tif 000010
【図９】
2014017958.tif 000011
【図１０】
2014017958.tif 000012
【図１１】
2014017958.tif 000013
【図１２】
2014017958.tif 000014
【図１３】
2014017958.tif 000015
【図１４】
2014017958.tif 000016
【図１５】
2014017958.tif 000017
【図１６】
2014017958.tif 000018